(57)【特許請求の範囲】
【請求項１】
平行配置された複数の光ファイバ挿入穴と、該光ファイバ挿入穴の後方に繋がり光ファイバを案内する案内溝と、該案内溝に繋がってその上方を向いて開口された接着剤注入穴とを有する樹脂成形体からなる光ファイバ位置決め部品であって、前記複数の光ファイバ挿入穴はそれぞれ前方の先端部に位置して挿入される光ファイバの外径よりもわずかに大きい内径を有する細穴部と該細穴部の後方に位置し細穴部より大きい内径を有する太穴部とからなり、複数の太穴部のうち両端に位置する２つの太穴部の外側にはそれと平行してそれぞれ前方端が閉じ後方端が前記接着剤注入穴に向かって開口した空気放出穴が設けられ、隣り合う光ファイバ挿入穴の太穴部同士の間及び前記空気放出穴と隣り合う太穴部との間は互いにスリット状の連通部によって連通していることを特徴とする光ファイバ位置決め部品。
【請求項２】
前記空気放出穴の断面形状は、光ファイバが挿通出来ない大きさまたは断面形状であることを特徴とする請求項１に記載の光ファイバ位置決め部品。
【請求項３】
前記樹脂成形体は、前記複数の光ファイバ挿入穴と平行に配置された複数のガイドピン挿入穴を具えたことを特徴とする請求項１または請求項２に記載の光ファイバ位置決め部品。
【請求項４】
請求項３に記載の光ファイバ位置決め部品を構成部分の一部とし、前記樹脂成形体には案内溝に連通してその後方に位置する光ファイバ心線挿入穴を具えたことを特徴とする光コネクタフェルール。
【発明の詳細な説明】
【０００１】
【発明の属する技術分野】
本発明は、光コネクタ、光ファイバアレイ等の一部分を構成する光ファイバ位置決め部品とそれを使った光コネクタフェルールに関する。
【０００２】
【従来の技術】
光コネクタ、光ファイバアレイ等では、複数の光ファイバを精密な寸法間隔で配列させて固定するための光ファイバ位置決め部品がそれら製品の構成部分の一部分として用いられている。図４（Ａ）は、その代表的な光ファイバ位置決め部品に光ファイバを固定した例を示す縦断面部分図であって、図４（Ｂ）はそのＡ−Ａ断面部分図、図４（Ｃ）はＣ−Ｃ断面部分図である。また図４において、１１は光ファイバ、１２は光ファイバ心線、１３は接着剤、２０は樹脂成形体、２１は光ファイバ挿入穴、２２は案内溝、２３は接着剤注入穴、２４は光ファイバ心線挿入穴である。
【０００３】
図４に示す光ファイバ位置決め部品は、樹脂成形体２０に複数の断面円形の光ファイバ挿入穴２１と、複数の断面半円形の案内溝２２と、１つの断面矩形の光ファイバ心線挿入穴２４とをそれらが順次前方から後方に向かって配置して設け、更に案内溝２２の上面に樹脂成形体２０の側方に向かって開口した接着剤注入穴２３を設けたものである。なお、光ファイバ位置決め部品の前方というのは、固定された光ファイバの光ファイバ心線側から見て光ファイバの先端面が位置する側、即ち他の光部品との結合を行う側を向く方向であって、後方はその反対方向である。
【０００４】
また、その光ファイバ位置決め部品に光ファイバを固定するに当たっては、光ファイバ心線１２の端部において被覆を除去して平行配置された複数本の光ファイバ１１を露出させたものを、光ファイバ位置決め部品の後方側から前方に向かって光ファイバ心線挿入穴２４に差込んで挿通させ、複数の光ファイバ１１の先端部分をそれぞれ案内溝２２に案内させながら光ファイバ挿入穴２１に差込んで挿通させる。その後、案内溝２２上にある露出した光ファイバ１１の周辺に、接着剤注入穴２３から接着剤１３を注入して硬化させることによって、光ファイバ１１と光ファイバ心線１２とを樹脂成形体２０に固着させる。
【０００５】
その時、光ファイバ挿入穴２１の内壁面と光ファイバ１１との間にはわずかに隙間があるので、接着剤１３の一部はその隙間にも侵入し、光ファイバ挿入穴２１の先端開口部から溢れ出ることもある。しかし通常の場合は、その後光ファイバ１１の先端面と樹脂成形体２０の先端面はほぼ一平面になるように研磨するので、同時に溢れ出た接着剤も削られ、光ファイバの先端面に接着剤が付着して光ファイバの結合を妨げることはない。また、現地で結線するような簡易組立て用途の光ファイバ位置決め部品においては、接着剤や組立て工法の工夫により、光ファイバ挿入穴端面まで接着剤が流れない。
【０００６】
【発明が解決しようとする課題】
上述した光ファイバ位置決め部品は、樹脂成形体に光ファイバを接着固定した後、その先端面を研磨しているが、研磨作業には大掛かりな研磨装置が必要で、工事現場等での作業には適さない。そのため、樹脂成形体の先端面及び光ファイバの先端面の研磨を不要とする方法が開発されつつある。この方法は、光ファイバ位置決め部品の先端面及び光ファイバの先端面を予め研磨不要の状態に作り込んで、それらの先端面の位置が一致するように光ファイバ挿入穴に光ファイバを挿入し、接着剤で固定する方法である。
【０００７】
図５（Ａ）は、開発中の２段型光ファイバ挿入穴を有する光ファイバ位置決め部品に光ファイバを固定した状態を示す縦断面部分図であって、図５（Ｂ）はそのＡ−Ａ断面部分図、図５（Ｃ）はＢ−Ｂ断面部分図、図５（Ｄ）はＣ−Ｃ断面部分図である。図５において、図４と同じ符号は同じものを示す。また、図５において、２１ａは細穴部、２１ｂは太穴部、２１ｃは連通部、２１ｄは空隙部である。また、図５の光ファイバ位置決め部品と、図４の光ファイバ位置決め部品の相違点は次の通りである。
【０００８】
図４の光ファイバ位置決め部品では、光ファイバ挿入穴２１は、前方先端部に位置する比較的内径の小さい細穴部と、挿入口付近の比較的内径の大きい太穴部とからなり、太穴部は隣接する太穴部とは連通していない。一方、図５の光ファイバ位置決め部品では、光ファイバ挿入穴２１は、前方先端部に位置する比較的内径の小さい細穴部２１ａと、その後方に繋がる比較的内径の大きい太穴部２１ｂとからなり、細穴部２１ａと太穴部２１ｂとの境界部はテーパ部となっている。また、太穴部は図５（Ｂ）に示す通り隣接する太穴部２１ｂ同士の互いの穴はスリット状の連通部２１ｃによって連通している。なお、寸法の一例を挙げれば、光ファイバの外径が１２５μｍの場合、細穴部２１ａの内径は約１２６μｍ、太穴部２１ｂの内径は約２５０μｍ、隣接する太穴部２１ｂ間の連通部２１ｃのスリット幅は約１００μｍである。
【０００９】
この光ファイバ位置決め部品に光ファイバを挿通させて接着剤を注入すると、図５に示す通り接着剤１３は案内溝２２から太穴部２１ｂの内壁面と光ファイバ１１との隙間にも侵入して充填される。しかし、細穴部２１ａの内壁面と光ファイバ１１との隙間は殆どないので、適切な粘度を有する接着剤を用いることにより、接着剤は細穴部にはわずかに侵入するが先端の開口部に接着剤が溢れ出ることはない。従って、光ファイバの先端面に接着剤が付着することはない。
【００１０】
一方、太穴部２１ｂの内部への接着剤１３の充填に伴って太穴部２１ｂ内にあった空気を追い出す必要があるが、細穴部２１ａの内壁面と光ファイバ１１の隙間は小さいため、その隙間を通して空気を追い出すだけでは十分でない。それゆえ、太穴部２１ｂの内部への接着剤１３の充填は光ファイバ配列の中心に近い側から進み、太穴部２１ｂ間の連通部２１ｃを通して空気は光ファイバ配列の外側に近い太穴部側に追い出される。
【００１１】
しかし、両端の太穴部の先端側に近い奥の部分には、空気が追い出されず接着剤も充填されない空隙部２１ｄが残ることが多い。そして、この空隙部２１ｄがあると環境温度の変化等による空気の膨張・収縮によって、その近傍部の接着固定が剥がれたりして接着強度が弱くなり、長期信頼性の問題が生じる。
本発明はこのような従来技術による問題点を解消し、光ファイバ挿入穴の全ての太穴部に十分に接着剤を充填することが可能な光ファイバ位置決め部品及びそれを使った光コネクタフェルールを提供するものである。
【００１２】
【課題を解決するための手段】
本発明の光ファイバ位置決め部品は、平行配置された複数の光ファイバ挿入穴と、該光ファイバ挿入穴の後方に繋がり光ファイバを案内する案内溝と、該案内溝に繋がってその上方を向いて開口された接着剤注入穴とを有する樹脂成形体からなる光ファイバ位置決め部品であって、前記複数の光ファイバ挿入穴はそれぞれ前方の先端部に位置して挿入される光ファイバの外径よりもわずかに大きい内径を有する細穴部と該細穴部の後方に位置し細穴部より大きい内径を有する太穴部とからなり、複数の太穴部のうち両端に位置する２つの太穴部の外側にはそれと平行してそれぞれ前方端が閉じ後方端が前記接着剤注入穴に向かって開口した空気放出穴が設けられ、隣り合う光ファイバ挿入穴の太穴部同士の間及び前記空気放出穴と隣り合う太穴部との間は互いにスリット状の連通部によって連通しているものである。
【００１３】
これによって、案内溝側から光ファイバ挿入穴の前方に向かって光ファイバを挿通させ、案内溝側の光ファイバの周囲に接着剤を注入すると、太穴部内の光ファイバの周辺にも十分に接着剤が充填される。なお、接着剤の太穴部への充填は中心側に位置する太穴部側から進み、太穴部内の空気は太穴部間の連通部を通して外側に配置させた太穴部側に追い出され、その空気は最後には空気放出穴側に追い出されので、全ての太穴部内の光ファイバの周りには空隙部が殆ど残らないようにして接着剤を充填することが出来る。
【００１４】
また、上記の本発明の光ファイバ位置決め部品の樹脂成形体に、光ファイバ挿入穴と平行にガイドピン穴を設け、案内溝の後方に光ファイバ心線挿入穴を設ければ光コネクタフェルールとすることが出来る。そして、この光コネクタフェルールを使用して、光ファイバ心線の端末部において被覆を除去して光ファイバを露出させたものの先端部分をそれに挿入して接着剤を接着剤注入穴から注入して硬化させ、光ファイバ及び光ファイバ心線を光コネクタフェルールに固定したものを使用すれば、案内溝上の光ファイバの周辺及び太穴部内の光ファイバの周辺は接着剤でほぼ完全に満たされるので、環境温度の変化を受けても接着固定が十分で長期信頼性のある光ファイバ付き光コネクタとすることが出来る。
【００１５】
【発明の実施の形態】
図１（Ａ）は本発明の光ファイバ位置決め部品を使った光コネクタフェルールに光ファイバを挿通させて接着固定したものを示す縦断面図であって、図１（Ｂ）はその光コネクタフェルールのＸ−Ｘ断面図である。また、図１（Ｃ）（Ｄ）（Ｅ）（Ｆ）はそれぞれＡ−Ａ断面図、Ｂ−Ｂ断面図、Ｃ−Ｃ断面図、Ｄ−Ｄ断面図であって、図１（Ｆ）は光コネクタフェルールの斜視図である。図１において、１は樹脂成形体、２は光ファイバ挿入穴、２ａは細穴部、２ｂは太穴部、２ｃは連通部、３は案内溝、４は光ファイバ心線挿入穴、５は接着剤注入穴、６は鍔部、７はガイドピン穴、８は空気放出穴、９は成形ピン溝、１１は光ファイバ、１２は光ファイバ心線、１３は接着剤、１４はブーツである。
【００１６】
図１（Ｂ）〜（Ｇ）に示す光コネクタフェルールでは、エポキシ樹脂、ポリフェニレン・スルフィド樹脂等からなる樹脂成形体１に、光ファイバ挿入穴２、接着剤注入穴５等を設ける。光ファイバ挿入穴２は、樹脂成形体１の前方先端部に複数本を通常等間隔に平行に配置して設ける。なお。各光ファイバ挿入穴２は、前方先端部分に位置する断面円形の比較的内径の小さい穴からなる細穴部２ａとその後方に繋がる断面円形の比較的内径の大きい穴からなる太穴部２ｂとで構成し、それらの境界部分は内径が滑らかに変化するようにテーパ状にして光ファイバ１１の挿通がスムーズになるようにする。また、細穴部２ａの内径は、挿通される光ファイバの外径よりもわずかに大きい程度、即ち光ファイバの外径に対して＋０μｍ〜＋２μｍ程度とする。
【００１７】
また、隣接する光ファイバ挿入穴２の太穴部２ｂ同士は、その側面に沿ってスリット状の連通部２ｃによって連通させる。また、最も端に位置する太穴部２ｂの外側に平行して空気放出穴８を設け、空気放出穴８と太穴部２ｂとの間もスリット状の連通部２ｃによって連通させる。また、それぞれの光ファイバ挿入穴２の後方にはそれに繋がる断面半円形の溝からなる案内溝３を設け、その案内溝３に繋がりその上方に向かって開口した接着剤注入穴５を設ける。また、空気放出穴８の前方端は閉じて、後方端は接着剤注入穴５に向かって開口させる。
【００１８】
また、光ファイバ挿入穴その他の寸法例をあげれば、光ファイバ１１の外径が１２５μｍの場合、細穴部２ａの内径は約１２６μｍ、太穴部２ｂの内径は約２５０μｍ、案内溝の半円の内径は太穴部と同じ約２５０μｍ、隣接する太穴部２ｂ間の連通部２ｃ及び太穴部２ｂと空気放出穴８との間の連通部２ｃのスリット幅は約１００μｍである。
【００１９】
また、樹脂成形体１に空気放出穴８を形成するに当たって、金型の中子の一部を成形ピンとし、その成形ピンを後方に移動させて抜き去り空気放出穴８を形成する場合がある。この場合、空気放出穴８の断面の下半分に見合った成形ピン溝９が案内溝３と平行に出来る。この成形ピン溝９に間違って光ファイバが案内されることを避けるために、空気放出穴８の底側を浅くし、それに合わせて成形ピン溝９の溝の底を案内溝３の底よりも浅くすることが望ましい。また、空気放出穴８を形成する成形ピン等の都合で空気放出穴８の先端部に後述する図２（Ａ）に示すような細穴１０が出来ることがある。その場合であっても、細穴１０の先端は閉じて空気放出穴８に入った接着剤１３が樹脂成形体１の先端面側に出ないようにすれば特に問題はない。
【００２０】
また、空気放出穴８には光ファイバが間違って挿入されることのないように、空気放出穴８の断面は光ファイバが入らないような小さい断面または円形でない変形した断面とすることが望ましい。図３（Ａ）（Ｂ）（Ｃ）（Ｄ）（Ｅ）は、それぞれ各種の空気放出穴の断面形状の例を示す断面図である。いずれの場合も空気放出穴８は、光ファイバが通らない大きさまたは断面形状になっている。また、図３（Ｂ）〜（Ｅ）に示すように空気放出穴８の下側を浅くした形状とすることで、それに繋がる成形ピン溝の底も浅くすることが出来るので、光ファイバが成形ピン溝に間違って案内されることも少なくなる。
【００２１】
また、案内溝３の後方に連通して、断面矩形の光ファイバ心線挿入穴４を設け、更に複数の光ファイバ挿入穴２の両側に光ファイバ挿入穴２と平行するようにして、それぞれ断面円形のガイドピン穴７を設ける。また、樹脂成形体１の後方端には側面の４方向に向かって横断面が拡大した鍔部６を設けることもある。以上によって、図１（Ｂ）〜（Ｇ）に示す光コネクタフェルールが出来る。この光コネクタフェルールに光ファイバを固定するには、図１（Ａ）及び下記に示すようにする。
【００２２】
まず、平行配置された複数本の光ファイバ１１を有する光ファイバ心線１２の端末において、被覆を除去して複数本の光ファイバ１１を露出させ、その光ファイバ１１の先端部を鏡面切断する等して光ファイバ結合に適した端面に加工する。そして、露出した光ファイバ側を光コネクタフェルールの後方端の光ファイバ心線挿入穴４に通して光ファイバ１１の先端を案内溝３に沿わせて案内させながら光ファイバ挿入穴２にそれぞれ挿通させ、光ファイバ１１の先端面と光ファイバ挿入穴２の先端面に対して所定の位置に合わせる。
【００２３】
その後、接着剤注入穴５から接着剤１３を注入し、案内溝３上の光ファイバ１１の周辺、太穴部２ｂ内の光ファイバ１１の周辺、接着剤注入穴５内の光ファイバ心線１２の周辺に接着剤を満たして硬化させる。図２（Ａ）は光コネクタフェルールに光ファイバを固定した状態を示す縦断面部分図であって、図２（Ｂ）はそのＡ−Ａ断面部分図、図２（Ｃ）はＢ−Ｂ断面部分図、図２（Ｄ）はＣ−Ｃ断面部分図である。なお、図２において、図１と同じ符号は同じものを示す。また、８ａは空隙部、１０は細穴である。
【００２４】
光ファイバ挿入穴２の太穴部２ｂ内における光ファイバ１１の周辺への接着剤の充填は、通常次のようにして行う。接着剤注入穴５の開口部がある側面を上にして、接着剤注入穴５の開口部からスポイト、注射器用シリンダ等によって接着剤１３を案内溝３の上に垂らす。そうすると、案内溝３上に垂らされた接着剤１３は、接着剤注入穴５中の光ファイバ心線１２の周囲を満たすと共に、比較的中心部に近い側にある太穴部２ｂに入って、太穴部内にあった空気を空気放出穴８側に追い出しながら中心部に近い側にある太穴部から順次接着剤が充填される。
【００２５】
この時、図２（Ａ）（Ｃ）に示すように、太穴部２ｂには細穴部２ａに近い前方部分までほぼ完全に接着剤１３が充填されるが、空気放出穴８の部分では空気放出穴８の前方に追い出しきれない空気が残った状態で接着剤１３の充填が終わることがある。その場合、空気放出穴８の前方部には残留空気によって空隙部８ａが出来る。しかし、この空隙部８ａは光ファイバ１１からは遠い位置にあるので、環境温度等の変化によって空気の膨張・収縮をおこなっても、光ファイバ１１に影響を与えることはない。
【００２６】
また、光ファイバ挿入穴２の細穴部２ａと光ファイバ１１との隙間は１μｍ以下程度で極めて小さいため、適切な粘度を有する接着剤を用いれば、接着剤１３はその隙間に少し入り込むことがあっても先端開口部まで溢れ出ることはない。従って、接着剤１３が光ファイバ１１の先端面に付着することはなく、光ファイバの結合を妨げることはない。
【００２７】
以上で光コネクタフェルールへの光ファイバの固定を行うことが出来るが、接着剤の注入の前または後で、光ファイバ心線１２と光ファイバ心線挿入穴４の隙間に合成ゴム等からなるブーツ１４を後方から差込んで、光ファイバ心線１２が光ファイバ心線挿入穴４の中で動かないようにする。このブーツ１４によって光ファイバ心線１２が光コネクタフェルールの際で小さい曲率半径での曲げを受けることがなくなるので、光コネクタフェルール際で光ファイバの伝送特性が悪化することもない。
【００２８】
以上図１、図２に基づいて本発明の光ファイバ位置決め部品を使った光コネクタフェルールとそれに光ファイバを固定する事例を説明したが、この光コネクタフェルールのうち、請求項１にかかる本発明の光ファイバ位置決め部品として必須の部分は、樹脂成形体１と、それに設けた細穴部２ａと太穴部２ｂとからなる光ファイバ挿入穴２と案内溝３と接着剤注入穴５と空気放出穴８とからなる部分であって、隣接する太穴部２ｂ同士及び太穴部２ｂと空気放出穴８との間はそれぞれの側面に沿ってスリット状の連通部２ｃによって連通しているものである。
【００２９】
この必須部分を構成部分の一部に使って上述した通り図１に示す形態の光コネクタフェルールを作成し、それに光ファイバを固定して光ファイバ付き光コネクタとすることが出来る。また、上記の必須部分のみを使ってその光ファイバ挿入穴に光ファイバを挿入して固定し、光ファイバアレイとすることも可能である。勿論、光ファイバアレイの場合であっても、光ファイバ心線挿入穴及びガイドピン穴等を設けることは許される。
【００３０】
また、光ファイバ位置決め部品あるいはそれを構成部分の一部として使った光コネクタフェルールは、通常金型に成形樹脂を流し込んで作るが、光ファイバ挿入穴２、案内溝３、空気放出穴８、光ファイバ心線挿入穴４、ガイドピン穴７等は、金型の内部にそれらの形状に合わせて作成したピン状部材等からなる中子を配置して、金型内の中子の周囲に成形樹脂を流し込み充填して硬化させ、金型を開いて中子を抜き去ることによって形成する。この場合、光ファイバ挿入穴２と空気放出穴８を形成するピン状部材は、隣接するピン同士が太径部分で長手方向に直線に沿って接触した状態で互いに平行になるように配置する。
【００３１】
そのピン状部材の周囲には成形樹脂が充填されるが、上記の接触線に沿った部分には成形樹脂の粘度の関係もあって十分に樹脂が流れ込まない。従って、ピン同士の接触線に沿って樹脂のない部分が出来る。それによって、隣接する太穴部２ｂの側面間及び太穴部２ｂと空気放出穴８との間には、スリット状の連通部２ｃが出来る。なお、連通部２ｃのスリット幅は成形樹脂の粘度にもよるが、約１００μｍ程度になることが多い。
【００３２】
【発明の効果】
本発明の光ファイバ位置決め部品は、複数の光ファイバ挿入穴と光ファイバを案内する案内溝と上方を向いて開口された接着剤注入穴とを有する樹脂成形体からなる光ファイバ位置決め部品であって、前記複数の光ファイバ挿入穴はそれぞれ前方に位置する細穴部と後方に位置する太穴部とからなり、複数の太穴部のうち両端に位置する２つの太穴部の外側にはそれと平行して前方端が閉じ後方端が接着剤注入穴側に向かって開口した空気放出穴が設けられ、隣り合う太穴部同士の間及び太穴部と空気放出穴との間は互いにスリット状の連通部によって連通したものであるので、案内溝側から光ファイバ挿入穴の前方に向かって光ファイバを挿通させ、案内溝側の光ファイバの周囲に接着剤を注入すると、太穴部内に侵入した接着剤によって太穴部内の空気は太穴部間の連通部を通して外側に配置した太穴部側に追い出され、その空気は最後には太穴部と空気放出穴との間にある連通部を通して空気放出穴側に追い出されので、全ての太穴部内の光ファイバの周りには空隙部が殆ど残らないようにして接着剤を充填することが出来る。
【００３３】
また、上記の本発明の光ファイバ位置決め部品の樹脂成形体に、光ファイバ挿入穴と平行にガイドピン穴を設け、案内溝の後方に光ファイバ心線挿入穴を設ければ光コネクタフェルールとすることが出来る。またそれに、光ファイバを固定して光ファイバ付き光コネクタとすれば、案内溝上の光ファイバの周辺及び太穴部内の光ファイバの周辺は接着剤でほぼ完全に満たされるので、環境温度の変化を受けても接着固定が十分で長期信頼性のある光ファイバ付き光コネクタが出来る。
【００３４】
また、空気放出穴を光ファイバを挿通することが出来ない大きさまたは断面形状とすれば、光ファイバを間違って空気放出穴に挿入することもない。また、空気放出穴の成形のための成形ピンを引抜くために成形ピン溝が案内溝と平行に形成される場合は、空気放出穴の底側を浅くし、それに合わせて成形ピン溝の溝の底を案内溝の底よりも浅くすれば、光ファイバの挿入に当たって光ファイバの先端が案内溝と間違って成形ピン溝に沿って案内されることも起こらない。
【図面の簡単な説明】
【図１】（Ａ）は本発明の光ファイバ位置決め部品を使った光コネクタフェルールに光ファイバを挿通させて接着固定したものを示す縦断面図であって、（Ｂ）はその光コネクタフェルールのＸ−Ｘ断面図である。また、（Ｃ）（Ｄ）（Ｅ）（Ｆ）はそれぞれＡ−Ａ断面図、Ｂ−Ｂ断面図、Ｃ−Ｃ断面図、Ｄ−Ｄ断面図であって、（Ｆ）は光コネクタフェルールの斜視図である。
【図２】（Ａ）は本発明にかかる光コネクタフェルールに光ファイバを固定した状態を示す縦断面部分図であって、（Ｂ）はそのＡ−Ａ断面部分図、（Ｃ）はＢ−Ｂ断面部分図、（Ｄ）はＣ−Ｃ断面部分図である。
【図３】（Ａ）（Ｂ）（Ｃ）（Ｄ）（Ｅ）は、それぞれ各種の空気放出穴の断面形状の例を示す断面図である。
【図４】（Ａ）は、従来技術による光ファイバ位置決め部品に光ファイバを固定した例を示す縦断面部分図であって、（Ｂ）はそのＡ−Ａ断面部分図、（Ｃ）はＣ−Ｃ断面部分図である。
【図５】（Ａ）は、従来技術による２段型光ファイバ挿入穴を有する光ファイバ位置決め部品に光ファイバを固定した状態を示す縦断面部分図であって、（Ｂ）はそのＡ−Ａ断面部分図、（Ｃ）はＢ−Ｂ断面部分図、（Ｄ）はＣ−Ｃ断面部分図である。
【符号の説明】
１：樹脂成形体
２：光ファイバ挿入穴
２ａ：細穴部
２ｂ：太穴部
２ｃ：連通部
３：案内溝
４：光ファイバ心線挿入穴
５：接着剤注入穴
６：鍔部
７：ガイドピン穴
８：空気放出穴
８ａ：空隙部
９：成形ピン溝
１０：細穴
１１：光ファイバ
１２：光ファイバ心線
１３：接着剤
１４：ブーツ
【図１】
0003544647.tif 000002
【図２】
0003544647.tif 000003
【図３】
0003544647.tif 000004
【図４】
0003544647.tif 000005
【図５】
0003544647.tif 000006